(57)【要約】【課題】  本発明は、ドア用のストッパー部材を有する操作ハンドルに関する。【解決手段】  当該ストッパー部材は、ドアに対して固定可能である少なくとも１つの固定部材、ドアを操作するハンドル及び／又はドア内に配置された締錠装置を有する。この固定部材は、このストッパー部材に連結されていて且つドアの側面を貫通してこの締錠装置に差し込み可能である。この固定部材が、このストッパー部材の長軸に対して垂直にこの締錠装置に対して及び／又はこの締錠装置内に固定可能であるように、この固定部材は配置及び／又は形成されている。これによって、操作ハンドルの組み立てが簡単になり、その都度の取り付け状況に関係なく、当該組み立てが可能な限り器具なしに実施され得る。
2010531938.tif 000002
【特許請求の範囲】
【請求項１】
少なくとも１つの固定部材（５０，５０′）によってドア（２０）に対して固定可能であるストッパー部材（４０，４０′）と前記ドアを操作し及び／又は前記ドア内に配置された締錠装置（３０）を操作するためのハンドル（６０，６０′）とを有する前記ドア（２０）用の操作ハンドル（１０，１０′）において、
前記固定部材（５０，５０′）が、前記ストッパー部材（４０，４０′）に結合されていて、前記ドア（２０）の側面（２２，２２′）を貫通して締錠装置（３０）内に差し込み可能であり、前記固定部材（５０，５０′）が、前記ストッパー部材（４０，４０′）の長軸（Ｌ）に対して垂直に前記締錠装置（３０）に対して及び／又はこの締錠装置（３０）内に固定可能であるように、この固定部材（５０，５０′）は配置及び／又は形成されていることを特徴とする操作ハンドル。
【請求項２】
前記ストッパー部材（４０，４０′）は、扁平体であることを特徴とする請求項１に記載の操作ハンドル。
【請求項３】
前記ストッパー部材（４０，４０′）の少なくとも縁側が、段状に形成されていることを特徴とする請求項１又は２に記載の操作ハンドル。
【請求項４】
前記ストッパー部材（４０，４０′）の少なくとも縁側が、平坦な背面（４２，４２′）を有することを特徴とする請求項１〜３のいずれか１項に記載の操作ハンドル。
【請求項５】
前記固定部材（５０，５０′）は、前記ストッパー部材（４０，４０′）の前記背面（４２，４２′）上に配置されていることを特徴とする請求項４に記載の操作ハンドル。
【請求項６】
前記固定部材（５０，５０′）は、前記ストッパー部材（４０，４０′）の前記長軸（Ｌ）に対して平行に形成されていることを特徴とする請求項１〜５のいずれか１項に記載の操作ハンドル。
【請求項７】
前記固定部材（５０，５０′）は、ボルト状又はスリーブ状に形成されていることを特徴とする請求項１〜６のいずれか１項に記載の操作ハンドル。
【請求項８】
前記固定部材（５０，５０′）は、円形又は多角形な横断面を有することを特徴とする請求項１〜７のいずれか１項に記載の操作ハンドル。
【請求項９】
前記固定部材（５０，５０′）が、前記操作ハンドル（１０，１０′）を組み立てた状態で前記締錠装置（３０）の少なくとも一部を貫通することを特徴とする請求項１〜８のいずれか１項に記載の操作ハンドル。
【請求項１０】
前記固定部材（５０，５０′）の寸法が、変更可能であることを特徴とする請求項１〜９のいずれか１項に記載の操作ハンドル。
【請求項１１】
ブッシュ、スリーブ（５４）等が、前記固定部材（５０，５０′）上に取り付けられているか又は取り付け可能であることを特徴とする請求項１０に記載の操作ハンドル。
【請求項１２】
前記ストッパー部材（４０，４０′）は、少なくとも２つの固定部材（５０，５０′）を有することを特徴とする請求項１〜１１のいずれか１項に記載の操作ハンドル。
【請求項１３】
前記固定部材（５０，５０′）は、相補的に形成されていることを特徴とする請求項１２に記載の操作ハンドル。
【請求項１４】
少なくとも１つの固定部材（５０，５０′）が、スリーブ（５１，５１′）として形成されていて、少なくとも１つの固定部材（５０，５０′）が、ピン（５２，５２′）として形成されていて、各スリーブ（５１，５１′）の内径が、前記ピン（５２，５２′）の外径に一致することを特徴とする請求項１２又は１３に記載の操作ハンドル。
【請求項１５】
各固定部材（５０，５０′）は、２つの同一の部品（５１″，５２″）によって形成されていて、これらの部品（５１″，５２″）は、共同して１つのボルト状部材又は１つのスリーブ状部材を形成することを特徴とする請求項１２又は１３に記載の操作ハンドル。
【請求項１６】
ハンドル（６０，６０′）が、前記ストッパー部材（４０，４０′）に軸線方向に動かないように及び／又は回転しないように連結されていることを特徴とする請求項１〜１５のいずれか１項に記載の操作ハンドル。
【請求項１７】
前記ハンドル（６０，６０′）は、前記ストッパー部材（４０，４０′）内に回転可能に及び／又は旋回可能に軸支されていることを特徴とする請求項１〜１６のいずれか１項に記載の操作ハンドル。
【請求項１８】
前記ハンドル（６０，６０′）は、前記ストッパー部材（４０，４０′）の前記長軸（Ｌ）の周りに回転可能に及び／又は旋回可能に軸支されていることを特徴とする請求項１７に記載の操作ハンドル。
【請求項１９】
前記ハンドル（６０，６０′）は、前記ドア（２０）内に組み込まれた締錠装置（３０）を操作するために力伝達部材（６６）に作用連結していることを特徴とする請求項１７又は１８に記載の操作ハンドル。
【請求項２０】
前記力伝達部材（６６）は、四角ピンであることを特徴とする請求項１９に記載の操作ハンドル。
【請求項２１】
前記ハンドル（６０，６０′）は、前記力伝達部材（６６）に軸線方向に動かないように連結されているか又は連結可能であることを特徴とする請求項１９又は２０に記載の操作ハンドル。
【請求項２２】
軸受部材（７０）が、前記ハンドル（６０，６０′）と前記ストッパー部材（４０，４０′）との間に配置されていることを特徴とする請求項１〜２１のいずれか１項に記載の操作ハンドル。
【請求項２３】
前記軸受部材（７０）は、摺動部材（７１）であることを特徴とする請求項２２に記載の操作ハンドル。
【請求項２４】
前記軸受部材（７０）は、玉軸受配置（７２）であることを特徴とする請求項２２に記載の操作ハンドル。
【請求項２５】
前記ハンドル（６０，６０′）は、反発力に逆らって操作可能であることを特徴とする請求項１〜２４のいずれか１項に記載の操作ハンドル。
【請求項２６】
前記反発力は、反発装置（８０）によって生成されることを特徴とする請求項２５に記載の操作ハンドル。
【請求項２７】
前記反発装置（８０）は、前記ストッパー部材（４０，４０′）に回転しないように連結されていて且つ前記ハンドル（６０）に作用連結していることを特徴とする請求項２５又は２６に記載の操作ハンドル。
【請求項２８】
前記反発装置（８０）は、収容部材（８４，８４′）内に配置又は形成されていることを特徴とする請求項２５〜２７のいずれか１項に記載の操作ハンドル。
【請求項２９】
前記収容部材（８４，８４′）は、前記反発装置（８０）を収容するための打抜部（８５）を有することを特徴とする請求項２８に記載の操作ハンドル。
【請求項３０】
前記収容部材（８４，８４′）は、前記ストッパー部材（４０，４０′）の前記背面（４２，４２′）上に配置されていることを特徴とする請求項２８又は２９に記載の操作ハンドル。
【請求項３１】
前記ストッパー部材（４０，４０′）の外側の寸法は、このストッパー部材（４０，４０′）の長軸（Ｌ）に対して垂直に前記収容部材（８４，８４′）の外側の寸法より大きいことを特徴とする請求項２８〜３０のいずれか１項に記載の操作ハンドル。
【請求項３２】
前記収容部材（８４，８４′）は、前記ストッパー部材（４０，４０′）に回転しないように連結されていることを特徴とする請求項２８〜３１のいずれか１項に記載の操作ハンドル。
【請求項３３】
前記収容部材（８４，８４′）は、前記ストッパー部材（４０，４０′）と一体になっていることを特徴とする請求項２８〜３２のいずれか１項に記載の操作ハンドル。
【請求項３４】
前記ストッパー部材（４０，４０′）に対する前記ハンドル（６０）の回転運動及び／又は旋回運動が、ロック装置（９０）によって停止可能であるか又は阻止可能であることを特徴とする請求項１〜３３のいずれか１項に記載の操作ハンドル。
【請求項３５】
前記ロック装置（９０）は、前記ハンドル（６０）を停止又は阻止する少なくとも１つの停止部材（９１）を有することを特徴とする請求項３４に記載の操作ハンドル。
【請求項３６】
前記ロック装置（９０）の前記停止部材（９１）は、少なくとも１つの操作部材（９４，９４′）を操作可能であることを特徴とする請求項３４又は３５に記載の操作ハンドル。
【請求項３７】
前記操作部材（９４，９４′）は、前記ストッパー部材（４０，４０′）内に又は前記ストッパー部材（４０，４０′）に対して回転可能に及び／又は旋回可能に軸支されていることを特徴とする請求項３４〜３６のいずれか１項に記載の操作ハンドル。
【請求項３８】
前記ロック装置（９０）の少なくとも一部が、前記収容部材（８４，８４′）内に配置されていることを特徴とする請求項３４〜３７のいずれか１項に記載の操作ハンドル。
【請求項３９】
前記収容部材（８４，８４′）は、前記ロック装置（９０）を収容するための別の打抜部（８６′）を有することを特徴とする請求項３４〜３８のいずれか１項に記載の操作ハンドル。
【請求項４０】
前記ロック装置（９０）は、前記長軸（Ｌ）に対して垂直方向にミラー対照に構成されていることを特徴とする請求項３４〜３９のいずれか１項に記載の操作ハンドル。
【請求項４１】
ドア（１００）が、請求項１〜３９のいずれか１項に記載の１つのドアリーフ（２１）及び少なくとも１つの操作ハンドル（１０，１０′）を有する当該ドア。
【請求項４２】
１つの操作ハンドル（１０，１０′）が、前記ドア（２０）の各側面（２２，２２′）上に配置されていることを特徴とする請求項４１に記載のドア。
【請求項４３】
複数の操作ハンドル（１０，１０′）が、前記ストッパー部材（４０，４０′）の長軸（Ｌ）に対して互いに対向し且つ整合して配置されていることを特徴とする請求項４１又は４２に記載のドア。
【請求項４４】
前記締錠装置（３０）は、前記ドア（２０）の前記ドアリーフ（２１）内の前面に嵌め込まれていることを特徴とする請求項４１〜４３のいずれか１項に記載のドア。
【請求項４５】
前記締錠装置（３０）は、前記ドアリーフ（２１）内のプレート片（３１）によって固定可能である差込錠であることを特徴とする請求項４１〜４４のいずれか１項に記載のドア。
【請求項４６】
ラッチボルト（３２）を操作する前記締錠装置（３０）は、回転可能に軸支されたロックナット（３３）を有することを特徴とする請求項４１〜４５のいずれか１項に記載のドア。
【請求項４７】
前記固定部材（５０，５０′）を収容する前記締錠装置（３０）は、少なくとも１つの貫通孔（３４）、１つの孔、１つのスリーブ等を有することを特徴とする請求項４１〜４６のいずれか１項に記載のドア。
【請求項４８】
少なくとも２つの貫通孔（３４）が、前記ロックナット（３３）に対して対称に配置されていることを特徴とする請求項４７に記載のドア。
【請求項４９】
前記締錠装置（３０）は、少なくとも１つの別の貫通孔（３５）を有することを特徴とする請求項４１〜４８のいずれか１項に記載のドア。
【請求項５０】
前記別の貫通孔（３５）は、１つの孔、１つのスリーブ又は１つのロックナットであることを特徴とする請求項４９に記載のドア。
【請求項５１】
互いに対向している前記ストッパー部材（４０，４０′）の固定部材（５０，５０′）が、前記操作ハンドル（１０，１０′）を組み立てた状態で前記締錠装置（３０）の前記貫通孔（３４）のうちの１つの貫通孔内に一体締結的に及び／又は摩擦締結的に嵌合するように、当該固定部材（５０，５０′）は配置及び／又は形成されていることを特徴とする請求項４７〜５０のいずれか１項に記載のドア。
【請求項５２】
前記ドア（２０）の前記第１側面（２２）上に位置している第１ストッパー部材（４０）の少なくとも１つのピン（５２）が、前記操作ハンドル（１０，１０′）を組み立てた状態で前記ドア（２０）の前記第２側面（２２′）上に位置している第２ストッパー部材（４０′）のスリーブ（５１′）内に嵌合し、各スリーブ（５１，５１′）は、前記締錠装置（３０）の１つの貫通孔（３４）内に嵌合することを特徴とする請求項４７〜５１のいずれか１項に記載のドア。
【請求項５３】
前記ドア（２０）の前記第１側面（２２）上に位置している第１ストッパー部材（４０）の１つの部品（５１″）と前記ドア（２０）の前記第２側面（２２′）上に位置している第２ストッパー部材（４０′）の対応する部品（５２″）とが、前記操作ハンドル（１０，１０′）を組み立てた状態で共同して１つのボルト状又はスリーブ状の部材を形成し、この部材は、前記締錠装置（３０）の貫通孔（３４）内に嵌合することを特徴とする請求項４７〜５１のいずれか１項に記載のドア。
【請求項５４】
各側面（２２，２２′）内の前記ドア（２０）は、少なくとも１つの打抜部（２３，２３′，２４，２４′，２５，２５′）を有することを特徴とする請求項４１〜５３のいずれか１項に記載のドア。
【請求項５５】
互いに対向している複数の打抜部（２３，２３′，２４，２４′，２５，２５′）が、前記長軸（Ｌ）の方向に互いにほぼ同心円状に配置されていることを特徴とする請求項５４に記載のドア。
【請求項５６】
前記締錠装置（３０）の前記ロックナット（３３）が、前記ドアリーフ（２１）の前記側面（２２，２２′）を貫通して自由にアクセスできるように、少なくとも１つの第１打抜部（２３，２３′）が配置及び形成されていることを特徴とする請求項５４又は５５に記載のドア。
【請求項５７】
前記締錠装置（３０）の前記少なくとも１つの貫通孔（３４）が、前記ドアリーフ（２１）の前記側面（２２，２２′）を貫通して自由にアクセスできるように、少なくとも１つの別の打抜部（２４，２４′）が配置及び／又は形成されていることを特徴とする請求項５４〜５６のいずれか１項に記載のドア。
【請求項５８】
前記締錠装置（３０）の前記少なくとも１つの別の貫通孔（３５）が、前記ドアリーフ（２１）の前記側面（２２，２２′）を貫通して自由にアクセスできるように、少なくとも１つの別の打抜部（２５，２５′）が配置及び／又は形成されていることを特徴とする請求項５４〜５７のいずれか１項に記載のドア。
【請求項５９】
前記打抜部（２３，２３′，２４，２４′，２５，２５′）が、前記ストッパー部材（４０，４０′）によって完全に覆われているように、このストッパー部材（４０，４０′）の外側の寸法が、このストッパー部材（４０，４０′）の前記長軸（Ｌ）に対して垂直に延在することを特徴とする請求項５４〜５８のいずれか１項に記載のドア。
【請求項６０】
前記ロックナット（３３）、前記貫通孔（３４）及び／又は前記別の貫通孔（３５）が、前記ドアリーフ（２１）を貫通して自由にアクセスできるように、前記第１打抜部（２３，２３′）が、配置及び／又は形成されていることを特徴とする請求項５４又は５５に記載のドア。
【請求項６１】
前記ストッパー部材（４０，４０′）の外側の寸法が、このストッパー部材（４０，４０′）の前記長軸（Ｌ）に対して垂直方向に前記打抜部（２３，２３′）の内径より大きいことを特徴とする請求項６０に記載のドア。
【請求項６２】
前記ストッパー部材（４０，４０′）は、前記第１打抜部（２３，２３′）の縁領域（２６）内で段状の縁（４３）によって前記側面（２２，２２′）に当接することを特徴とする請求項６０又は６１に記載のドア。
【請求項６３】
前記収容部材（８４，８４′）の外側の輪郭が、前記ストッパー部材（４０，４０′）の前記長軸（Ｌ）に対して垂直方向に前記打抜部（２３，２３′）の内側の輪郭に一致することを特徴とする請求項６０〜６２のいずれか１項に記載のドア。
【請求項６４】
前記ストッパー部材（４０，４０′）の外側の輪郭が、前記長軸（Ｌ）に対して垂直方向に前記打抜部（２３，２３′）の内側の輪郭に一致することを特徴とする請求項６０に記載のドア。
【請求項６５】
前記ストッパー部材（４０，４０′）は、前記ドア（２０）又は前記ドアリーフ（２１）の前記側面（２２，２２′）と同一平面に配置及び／又は形成されていることを特徴とする請求項６４に記載のドア。
【請求項６６】
前記収容部材（８４，８４′）の外側の寸法が、前記ストッパー部材（４０，４０′）の前記長軸（Ｌ）に対して垂直方向に前記打抜部（２３，２３′）の内径より小さいことを特徴とする請求項６０〜６５のいずれか１項に記載のドア。
【請求項６７】
前記ドア（２０）の前記側面（２２，２２′）内の前記別の打抜部（２４，２４′）と前記締錠装置（３０）内のそれぞれ付設された貫通孔（３４）とが、同じ内径を有することを特徴とする請求項５４〜６６のいずれか１項に記載のドア。
【請求項６８】
前記別の打抜部（２４，２４′）と前記貫通孔（３４）とが完全に等しく重なり合って位置しているように、前記ドア（２０）の前記側面（２２，２２′）内の前記別の収容部（２４，２４′）と前記ドアリーフ（２１）内部の前記締錠装置（３０）とが位置決めされ且つ相対的に向き合って整合されていることを特徴とする請求項６７に記載のドア。
【請求項６９】
前記互いに対向するストッパー部材（４０，４０′）の少なくとも１つの固定部材（５０，５０′）が、前記操作ハンドル（１０，１０′）を組み立てた状態で前記長軸（Ｌ）に対して垂直に前記ドア（２０）の前記別の打抜部（２４，２４′）のうちの１つの打抜部と前記締錠装置（３０）内の前記貫通孔（３４）のうちの１つの貫通孔とに嵌合するように、当該固定部材（５０，５０′）は形成及び／又は配置されていることを特徴とする請求項６７又は６８に記載のドア。
【請求項７０】
前記互いに対向して配置された操作ハンドル（１０，１０′）の前記ハンドル（６０，６０′）は、前記力伝達部材（６６）を介して軸線方向に動かないように互いに連結されているか又は連結可能であることを特徴とする請求項４１〜６９のいずれか１項に記載のドア。
【請求項７１】
前記ハンドル（６０，６０′）と前記力伝達部材（６６）とが、互いに密着締結されているか又は連結可能であることを特徴とする請求項４１〜７０のいずれか１項に記載のドア。
【請求項７２】
装置が、少なくとも１つのハンドル（６０，６０′）と前記力伝達部材（６６）との間に設けられていて、前記ハンドル（６０，６０′）内への前記力伝達部材（６６）の差込みが、第１方向に移動可能であり且つ反対方向に停止されているように、この装置は構成されていることを特徴とする請求項４１〜７１のいずれか１項に記載のドア。
【発明の詳細な説明】
【技術分野】
【０００１】
本発明は、請求項１の上位概念に記載のドア用の操作ハンドル及び請求項４１に記載のドアに関する。
【背景技術】
【０００２】
ドアは、通常はドアリーフを有する。このドアリーフは、ヒンジ（蝶番）を用いてドアフレーム（大枠）に沿って旋回可能に蝶番でとめられている。締錠装置、例えば差込錠が、ドアリーフ内に組み込まれている。この差込錠は、その錠側でドアリーフの前面内に嵌め込まれている。この差込錠は、プレート片によって固定される。このプレート片は、差込錠のハウジングに固定して接合されていて、ねじ（ボルト）によって前面側でドアリーフに対して締め付けられる。ドアを操作するため、及び／又は、締錠装置を操作するため、少なくとも１つのドア用金具が、ドアリーフ上に横から取り付けられている。このドア用金具は、ハンドル、例えば取っ手（ドアの取っ手）又はドアノブを有する。
【０００３】
各ドア用金具は、固定板の形態のストッパー部材を有する。この固定板は、ドアリーフの側面上にボルトによって固定されている。この場合、当該ボルトは、ドアリーフの側面に直接にボルト締めされる。しかし、多くの場合にメートル法によるねじ溝を有するスタッドボルトの使用も公知である。当該スタッドボルトは、ドアリーフ及び差込錠を妨害されずに貫通してそれぞれ対向しているストッパー板に嵌合する。このため、このストッパー板は、合致する雌ねじ又はタップ付けされたブッシュを有する。当該金具が、この金具の長軸に対して垂直にドアリーフ上に定位置に固定されているように、支持カムが、ストッパー部材の後側に形成されている。当該支持カムは、ボルトに対して同心状に同様にドア面に嵌合されている。固定板上に取り付け可能なカバー部材が、全ての固定部材を覆い隠す。このカバー部材は、ストッパー板と共に、例えば円形のロゼット又は縦長のドアシールドを形成する。
【０００４】
ハンドルは、ストッパー板内に多くの場合に回転可能に及び／又は旋回可能に軸支されている。この場合、ドアリーフの両側に配置された２つのハンドルが、ドア及び差込錠を貫通する駆動ピン（四角ピン）を介して軸線方向に動かないように及び／又は回転しないように互いに連結されている。この場合、この駆動ピンは、差込錠内に旋回可能に軸支されたロックナットを貫通する。このロックナットは、内部機構を介して軸線方向に可動に支承されたラッチボルトに作用連結している。
【０００５】
ドアをロックするため、多くの場合に追加のロック装置が、独立したハンドルによって操作可能である停止ロックを有する。この停止ロックは、ハンドルつまりラッチボルトの移動を妨害するか又はプレート片を貫通してドアフレーム内のロック板に嵌合する。当該独立したハンドルは、例えば鍵でもよく又は−浴室のトイレ若しくは化粧室のドアの場合は−ロック付き取っ手でもよい。
【０００６】
差込錠を収容するため、ポケットが、ドアリーフ内の前面にフライス盤加工されている。対向している２つの打抜部が、このポケットに対して垂直にドアリーフの側面内に存在する。これらの打抜部を通じて駆動ピン用のロックナットにアクセスすることができる。ドアリーフの側面内の別の打抜部が、−必要ならば−ロック装置に対するアクセスを保証する。
【０００７】
金具を組み立てる前に、最初に差込錠が、ドアリーフ内のこの差込錠のために設けられているポケットの中に差し込まれ、プレート片によってドアリーフに対して整合される。引き続き、このプレート片は、ドアの前面に対してボルト締めされる。その結果、差込錠が、ドアリーフ内に固定されている。最初に、固定板が、ドアリーフにボルト締めされることによって、引き続き、金具が、ドアの側面上に固定される。このため、支持カム及び貫通ボルト用の別の孔が、ドアリーフ内に前もって形成される必要がある。ハンドルが、固定板の固定後に差し込まれる。この場合、駆動ピンが、ロックナットを貫通して差し込まれ、ハンドルが、このハンドルのグリップネック内に形成された雌ねじによってこの駆動ピンに従来のように固定される。閉鎖するため、カバー部材が、固定板上に取り付けられ、この固定板に固定される。
【０００８】
この配置の重大な欠点は、金具の全体の組み立てに比較的経費がかかる点にある。ドアリーフ内の打抜部及び／又はストッパー部材用の孔が、その都度の取り付け状況に応じて作製され、多くの場合に現場で孔あけジグを用いて手動で経費をかけて形成される必要がある。このことは、製造コスト及び組み立てコストに悪い影響をもたらす。差し迫った納期及びその他の事情に起因して、組立工によって形成された孔が、希望した要求に一致するとは常に限らないので、完成すべき孔に対して比較的高い要求がされるために、さらなる問題が起こることは珍しくない。これによって、金具の取り付け時に誤差を誘発する。当該誤差は、金具の端部がずれて嵌着するか又は金具が損傷するといった美観的に全く許容できない結果を招く。
【先行技術文献】
【特許文献】
【０００９】
【特許文献１】ドイツ連邦共和国実用新案第２０  ２００５  ００４  ３８１号明細書
【特許文献２】ドイツ連邦共和国実用新案第２０  ２００５  ０００  ７８５号明細書
【特許文献３】ヨーロッパ特許出願公開第１  ６８３  ９３３号明細書
【発明の概要】
【発明が解決しようとする課題】
【００１０】
本発明の課題は、従来の技術のこれらの欠点及びその他の欠点を解消すること、及び、簡単な手段で安価に組み立てられていて且つ明らかにより僅かな経費で可能な限り器具なしに取り付けられ得るドア用の操作ハンドルを提供することにある。特に、組み立て時間の低減及び同様に簡単で迅速な作業を提供することにある。
【００１１】
本発明のもう１つの重要な課題は、同様に簡単に且つ安価に組み立てられていて、本発明の操作ハンドルの使用に対して適しているドアを提供することにある。全ての組み立てが、特別な専門知識なしに可能であり、かかる時間が大幅に低減されなければならない。
【課題を解決するための手段】
【００１２】
本発明の主な特徴は、請求項１及び請求項４１の特徴部分に記載されている。構成は、請求項２〜４０及び４２〜７２に記載されている。
【００１３】
少なくとも１つの固定部材によってドアに対して固定可能であるストッパー部材とドアを操作し及び／又はドア内に配置された締錠装置を操作するためのハンドルとを有するドア用の操作ハンドルの場合、固定部材が、ストッパー部材に結合されていて、ドアの側面を貫通して締錠装置内に差し込み可能であり、この場合、この固定部材が、このストッパー部材の長軸に対して平行にこの締錠装置に対して及び／又はこの締錠装置内に固定可能であるように、この固定部材が配置及び／又は形成されていることが提唱されている。
【００１４】
同様に簡単で且つ優れたこの配置によって、操作ハンドルのストッパー部材が、従来の技術のようにカム及びボルトを用いてドアリーフに対してもはや普通に固定されない；むしろ、ストッパー部材は、いずれにしても多くの場合に工場でドア内に前もって取り付けられた締錠装置内に又は当該ロック装置によって固定される。この締錠装置は、ストッパー部材の固定部材を好ましくは一体締結的に及び／又は摩擦締結的に収容し、これらの固定部材をこれによってストッパー部材の長軸に対して垂直方向に、すなわちドアリーフの平面内で放射方向に且つ同時に遊びなしに固定する。それ故に、金具を固定する支持カム又はボルトはもはや必要でない。したがって金具の組み立て中でも、孔が、手作業によってドアリーフ内に形成される必要がもはやない。固定部材を通すために必要なドア内の打抜部は、ロック装置用の打抜部と一緒に既に向上で形成することができる。このことは、製造コストにさらによい影響を及ぼす。したがって、現場での組み立て時間が、ストッパー部材をドアリーフの側面上に横から取り付け、ハンドルを嵌合することに関して低減する。このハンドルは、同時に軸線方向の固定を引き起こす。その他の組み立てステップは必要でない。組み立て誤差が、十分に排除されている。
【００１５】
この従来とは違う構造の場合に反対側に発生するハンドルからストッパー部材に向かい、このストッパー部材から締錠装置に向かい、この締錠装置から（プレート片を通じて）ドアリーフに向かう力の伝達には、欠点がないことが多くの実験で証明されている。むしろ、当該操作ハンドルは、ドアリーフに対して常に不変に且つ確実に取り付けられている。特にこの操作ハンドルは、例えばその対象領域内で発生する、より強い半径応力及び捻りモーメントも持続して耐える。したがって、従来一般に行われていて経費のかかるロゼット状の連結部は不要であることが分かる。
【００１６】
ストッパー部材は、僅かな構造高さしか有さないので、扁平体としてのこのストッパー部材の構造は、完全に新規な構造の可能性を開示する。従来一般に行われている、取り付けられたカバーキャップを有する下部構造物がもはや必要でない。このことは、製造コスト及び組み立て時間の双方を低減する。
【００１７】
その他の実施の形態は、ストッパー部材の少なくとも縁側が段状に形成されていることを開示する。したがって、このストッパー部材は、ドアリーフ上に平坦に設置され得るか、又は、その少なくとも一部が、ドアリーフ内に降下され得る。その結果、極めて洗練され且つ目立たない外観が得られる。それにもかかわらず、ストッパー部材は、必要な場合にはストッパー部材に一体形成されているか又は独立した部材として取り付けられているプロフィル部材又は装飾部材を有してもよい。
【００１８】
好ましくは、ストッパー部材の少なくとも一部が、平坦な背面を有する。固定部材が、この背面上に配置されている。この固定部材は、例えば溶接、半田付け又は接着によってストッパー部材に一体的に結合され得る。しかし、固定部材は、ストッパー部材と一体に形成してもよく又はストッパー部材に対して取り外し可能に固定されてもよい。固定部材がストッパー部材の表面上でもはや目視不可能であることが大切である。その結果、追加のカバー部材が不要である。製造コストが、これによって低減され、在庫管理及び組み立ても明らかに簡略化される。
【００１９】
当該固定部材は、好ましくはストッパー部材の長軸に対して平行に形成されている。その結果、この固定部材は、締錠装置内に常に正確に且つ遊びなしに嵌合され得る。さらに、この固定部材は、ボルト状又はスリーブ状に形成されている。この場合、その横断面が、円形又は多角形に形成され得る。多角形の横断面が、ねじり応力からほとんど保護する。
【００２０】
最適な力の伝達を保証するため、固定部材が、操作ハンドルを組み立てた状態で締錠装置の少なくとも一部を貫通するように、この固定部材は形成されていることが提唱されている。これによって、ストッパー部材が遊びなしに且つぐらつきなしに定位置に固定されているように、固定部材は、締錠装置内に常に十分に保持されている。
【００２１】
操作ハンドルを様々な締錠装置に対して適合できるようにするため、さらの本発明は、例えば、ブッシュ、スリーブ等が、固定部材上に取り付けられるか又は取付可能であることによって、固定部材の寸法が変更可能であることを提唱する。締錠装置内に設けられている貫通孔の直径に応じて、適合するブッシュ又はスリーブを選択することができる。このことは、固定部材を締錠装置内に又は対して一体締結的に及び／又は摩擦締結的に嵌着させることを保証する。
【００２２】
ストッパー部材が、ドアリーフに対して回転又は移動できないようにするため、少なくとも２つの固定部材を設けることが好ましい。これらの固定部材は、本発明の別の重要な構成では相補的に構成されている。すなわち、２つの固定部材がそれぞれ、例えばソケット装置のように入れ子式に嵌合するか又は一体的な１つの固定部材に補完する。さらに、全てのストッパー部材が、ドアの右側の側面上に取り付けられるか又は左側に取り付けられるかに関係なく、当該ストッパー部材が同一に形成され得る利点がある。
【００２３】
このため、さらに本発明は、少なくとも１つの固定部材がスリーブとして形成されていて、少なくとも１つの別の固定部材がピンとして形成されていることを提唱する。この場合、各スリーブの内径が、ピンの外径に一致する。したがって、ピンは、スリーブ内に一体締結的に及び／又は摩擦締結的に収容され得る一方で、このスリーブは、締錠装置内に一体締結的に及び／又は摩擦締結的に収容され得る。これによって、追加の固定部材又は保護部材つまり器具が全く必要でなしに、ストッパー部材は、金具の長軸に対して垂直にドアリーフ上に常に遊びなしに且つぐらつきなしに固定される。
【００２４】
別の実施の形態は、各固定部材が２つの同一の部品によって構成されていることを提唱する。これらの部品は、共同して１つのボルト状の部材又はスリーブ状の部材を形成する。当該部材は、ストッパー部材の長軸に対して垂直に締錠装置に対して及び／又は内に固定可能である。対になって補完するこれらの部材は、同様にストッパー部材をドアリーフ上に遊びなしに固定する。
【００２５】
ドア又はドアの扉を操作できるようにするため、ハンドルが、ストッパー部材に軸線方向に動かないように及び／又は回転しないように連結され得る。さらに、締錠装置が操作可能でなければならない場合は、ハンドルが、ストッパー部材内に回転可能に及び／又は旋回可能に、好ましくはストッパー部材の長軸の周りに回転可能に及び／又は旋回可能に  軸支されている。
【００２６】
ドア内に組み込まれた締錠装置を操作するため、ハンドルが、力伝達部材に作用連結している。この力伝達部材は、好ましくは駆動ピン、特に四角ピンである。
【００２７】
本発明の別の実施の形態は、ハンドルが力伝達部材に軸線方向に動かないように連結されているか又は連結可能であることを提唱する。これによって、ストッパー部材も、ドアリーフに対して軸線方向に固定される。その結果、その他の固定部材又は保護部材が、ストッパー部材を軸線方向の保護に対してもはや不要である。
【００２８】
ハンドルが常に安定に且つ磨耗なしに軸支されているように、軸受部材が、ハンドルとストッパー部材との間に配置されている。この軸受部材は、好ましくは摺動性の材料、例えば合成樹脂リングから成る摺動部材である。このことは、製造コストにさらによい影響を及ぼす。しかし、操作ハンドルが、例えばより強い負荷に耐える必要がある場合、玉軸受配置が、軸受部材として使用されてもよい。
【００２９】
本発明の別の実施の形態は、ハンドルが反発力に逆らって操作可能であることを提唱する。このことは、締錠装置の反発力だけではハンドルをその最初の位置に必ず再び戻すには十分でない場合に常に有益である。
【００３０】
当該反発力は、好ましくは反発装置によって生成される。この反発装置の構造及び機能は、例えばドイツ連邦共和国実用新案第２０  ２００５  ００４  ３８１号明細書から公知である。当該構造及び機能は、当該文献の開示内容に完全に記載されている。
【００３１】
当該反発装置は、好ましくはストッパー部材に回転しないように接合されている。さらに、ハンドルが、反発装置内に設けられている戻しばねによって常に戻され得るように、この反発装置は、このハンドルに作用連結している。
【００３２】
当該反発装置が、収容部材内に配置又は形成されているときに、特別な利点が得られる。この場合、この収容部材は、この反発装置を収容するための打抜部を有する。これによって、この反発装置を簡単に且つ別の補助手段なしに収容部材内に差し込むことができる。
【００３３】
別の利点は、例えば、いろいろな構成部品（ストッパー部材、ハンドル、四角ピン、反発装置）が、普通に一緒に置かれていて、エンドユーザー又は組立工が、現場でどの構成部品を実際に使用するかを個々に判断できることによって、操作ハンドルをユニットシステムのように作り上げることができる点にある。しかし、各金具が、工場渡しで個々の顧客に対して量産されてもよい。
【００３４】
当該収容部材は、好ましくはストッパー部材の背面上に配置されていて、したがって外に向かって目視不可能である。このストッパー部材の外側の寸法が、このストッパー部材の長軸に対して垂直方向に収容部材の外側の直径より大きいことが、当該目視不可能に寄与する。
【００３５】
さらに、当該収容部材は、ストッパー部材に回転しないように接合されている。この収容部材が、固定部材及びストッパー部材に取り付けられることによって、当該接合は、例えばこれらの固定部材によって正確に且つ簡単に実施され得る。しかしこの代わりに、収容部材をストッパー部材と一体に形成してもよい。
【００３６】
本発明の別の重要な構成は、ストッパー部材に対するハンドルの回転運動及び／又は旋回運動が、ロック装置によって停止可能であるか又は阻止可能であることを提唱する。このロック装置は、ハンドルを停止又は阻止する少なくとも１つの停止部材を有する。その結果、ドアを少なくとも一方の側から停止することができる。この場合、ロック装置の停止部材は、少なくとも１つの操作部材によって操作可能である。この操作部材は、好ましくは回転可能に及び／又は旋回可能にストッパー部材内に又はストッパー部材に対して軸支されている。
【００３７】
したがって、ドア内に組み込まれた締錠装置は、必ずしも固有のロック装置を持つ必要はない。むしろ、このロック装置は、操作ハンドル内に構成されてもよい。その結果、締錠装置用のコストが明らかに低減され得る。これによって、ドアリーフ内部の締錠装置に必要な空間が低減する。このことは、製造コスト及び器具コストに特によい影響を及ぼす。この場合、ロック装置の少なくとも一部が、収容部材内に配置又は形成されていることが構造上都合がよい。この場合、この収容部材は、好ましくはロック装置を収容するための別の打抜部を有する。
【００３８】
これによって、反発装置のほかにロック装置もユニットシステム内に組み込むことが可能である。
【００３９】
当該ロック装置が、長軸に対して垂直方向にミラー対称に構成されている場合に、さらなる利点が得られる。これによって、操作ハンドルが、常に左にも右にも使用され得る。
【００４０】
本発明の操作ハンドルが、ドアに対して使用されると、当該操作ハンドルの説明した利点の効力が特に発揮される。この場合、操作ハンドルが、ドアリーフの各側面上に普通に配置される。ストッパー部材が、ドアの側面の両側に簡単に取り付けられる。この場合、複数の固定部材が、入れ子式に且つ共同して締錠装置に嵌合することによって、金具をストッパー部材の長軸に対して放射方向に遊びなしに固定する。当該操作ハンドルは、好ましくは互いに対向して且つストッパー部材の長軸に整合して配置されている。
【００４１】
当該締錠装置は、ドアのドアリーフ内の前面に嵌め込まれている。この締錠装置は、好ましくはプレート片によってドアリーフ内に固定可能である差込錠である。さらに、この締錠装置は、ラッチボルトを操作するため、回転可能に軸支されたロックナットを有する。
【００４２】
ストッパー部材の固定部材を収容する締錠装置が、少なくとも１つの貫通孔、１つの孔、１つのスリーブ等を有する点が重要である。この場合、これらの貫通孔のうちの少なくとも２つの貫通孔が、対称に配置され得る。当該配置は、規格化された締錠装置、例えばドイツ工業規格１８  ２５１又はオーストリア工業規格Ｂ  ５３５０にしたがう差込錠が例えば常に使用される場合である。規格された締錠装置を使用することには、固定部材を収容するために必要な貫通孔が、締錠装置内に個別に形成される必要がもはやないという利点がある。むしろ、この締錠装置は、あらゆる後加工なしに差し込まれ得る。これによって、全製造経費及び組立経費がさらに低減する。
【００４３】
ドアを浴室又は化粧室に対しても使用できるようにするため、締錠装置が、少なくとも１つの別の貫通孔を有するこの場合、この別の貫通孔は、市販の様々な締錠装置に設けられているような、孔、スリーブ又は別のロックナットである。
【００４４】
互いに対向しているストッパー部材の固定部材が、操作ハンドルを組み立てた状態で締錠装置の貫通孔のうちの１つの貫通孔内に一体締結的に及び／又は摩擦締結的に嵌合するように、当該固定部材は配置及び／又は形成されている。この場合、好ましくは、互いに対向している２つの固定部材がそれぞれ、１つの貫通孔内に共同して遊びなしに嵌合する。
【００４５】
したがって、ストッパー部材に対する全ての組み立て経費が、締錠装置の貫通孔内への固定部材の軸線方向の単なる差し込みに関して低減する。固定部材が、貫通孔内に嵌合し、ストッパー部材が、ドアの側面上に平坦に当接すると、金具が、ストッパー部材の長軸に対して垂直にドアリーフに対して遊びなしに且つぐらつきなしに固定されている。放射方向の摺動又は捻れはもはや起こりえない。
【００４６】
これに対して、本発明の特別な実施の形態では、ドアの第１側面上に位置している第１ストッパー部材の各ピンが、操作ハンドルを組み立てた状態でドアの第２側面上に位置している第２ストッパー部材のスリーブ内に嵌合することをさらに提唱する。この場合、各スリーブが、締錠装置の１つの割り当てられた貫通孔内に嵌合する。したがって、これらのストッパー部材は、それらの固定部材によって入れ子式だけで簡単に差し込まれる。さらなる組み立てステップ又は別個の固定部材は必要でない。
【００４７】
本発明の別の実施の形態は、ドアの第１側面上に位置している第１ストッパー部材の１つの部品がとドアの第２側面上に位置している第２ストッパー部材の対応する部品とが、操作ハンドルを組み立てた状態で共同して１つのボルト状又はスリーブ状の部材を形成することを提唱する。この部材は、締錠装置の貫通孔内に嵌合する。ここでも、それぞれ対向しているストッパー部材が補完する。この場合、これらのストッパー部材は、締錠装置内で上述した実施の形態でも同一に形成され得る。これらのストッパー部材を左右の構造に細分することは必要でない。製造コスト及び在庫管理コストが最少に低減される。
【００４８】
ストッパー部材の固定部材を、ドアリーフを貫通して締錠装置内に差し込みできるようにするため、少なくとも１つの打抜部が、ドアの各側面内に設けられている。この場合、互いに対向している打抜部が、金具の長軸方向に互いに同心状に配置されていることが好ましい。全ての打抜部が、貫通孔として形成され得るので、これによっても製造コストをさらに低減することができる。
【００４９】
締錠装置のロックナットが、ドアリーフの側面を貫通して自由にアクセスできるように、少なくとも１つの第１打抜部が配置及び／又は形成されている。固定部材の収容用の締錠装置の少なくとも１つの貫通孔が、ドアリーフの側面を貫通して自由にアクセスできるように、少なくとも１つの別の打抜部が配置及び／又は形成されている。さらに、ロック装置用の締錠装置の少なくとも１つの別の貫通孔が、ドアリーフの側面を貫通して自由にアクセスできるように、少なくとも１つの別の打抜部が配置及び／又は形成されている。
【００５０】
視覚的にきれいで且つ受け入れられる閉鎖を実現するため、全ての打抜部が、ストッパー部材によって完全に覆われているように、このストッパー部材の外側の寸法が、このストッパー部材の長軸に対して垂直に延在する。
【００５１】
本発明の別の重要な実施の形態は、ロックナット、固定部材用の貫通孔及び／又はロック装置用の別の貫通孔が、ドアリーフを貫通して自由にアクセスできるように、第１打抜部が、ドアリーフ内に配置及び形成されている。したがって、固有の１つの打抜部が、ドアリーフ内にフライス盤加工又は穿孔されるだけで済む。このことは、ドアフレームに対する製造コスト自体を最少に低減する。
【００５２】
当該打抜部を完全に覆うため、ストッパー部材の外側の寸法が、このストッパー部材の長軸に対して垂直方向にこの打抜部の内径より大きい。
【００５３】
しかし、当該ストッパー部材は、第１打抜部の縁領域内で段状の縁を有し、この縁によって側面に当接してもよい。こうして、ストッパー部材の一部が、当該打抜部内に深く降下され得る。その結果、極めて平坦なプレートだけが、ドアリーフ上で目視可能である。これによって、このストッパー部材は、金具に特に洗練され且つ目立たない外観を、しかしながら安定性及び負荷能力を失うことなしに提供する。したがって、全く新規な構造の可能性が、本発明のドアによって開示される。
【００５４】
反発装置及び／又はロック装置用の収容部材の外側の輪郭が、当該打抜部の内側の輪郭に一致することによっても、ストッパー部材が捻りから保護される。この打抜部は、必ずしも円形に形成される必要はない。この打抜部は、星形又は多角形に形成されてもよい。
【００５５】
ストッパー部材の外側の輪郭が、長軸に対して垂直方向に打抜部の内側の輪郭に一致する場合、さらに別の外観が得られる。このストッパー部材は、ドアリーフの側面と同一平面にも配置及び／又は形成され得る。その結果、ドアが、完全に平坦で且つ滑らかな表面を有する。
【００５６】
反発装置及びロック装置を一緒に取り付けできるようにするため、収容部材の外側の寸法が、このストッパー部材の長軸に対して垂直方向に打抜部の内径より常に小さい。それ故に、この収容部材が外に向かって目視可能になることなしに、この収容部材は、ストッパー部材と一緒にこの打抜部内に取り付けされ得る。
【００５７】
従来の固定手段を使用しない本発明のさらに別の実施の形態は、さらに１つのステップを実施する。
【００５８】
このため、固定部材をドアの側面に通すための別の打抜部と締錠装置内のそれぞれ付設された貫通孔とが、同じ内径を有することが提唱されている。この場合、当該別の打抜部と当該貫通孔とが完全に等しくつまり同軸状に及び／又は完全に等しく重なり合って位置しているように、ドアの側面内の別の収容部とドアリーフ内部の締錠装置とが位置決めされ且つ相対的に向き合って整合されている。
【００５９】
さらに、互いに対向しているストッパー部材の少なくとも１つの固定部材が、操作ハンドルを組み立てた状態で長軸に対して垂直にドアの別の打抜部のうちの１つの打抜部と締錠装置内の貫通孔のうちの１つの貫通孔とに特に一体締結的に及び／又は摩擦締結的に嵌合するように、当該固定部材は形成及び／又は配置されている。この場合、これらの固定部材は、−既に上述したように−相互に収容又は補完する。その結果、常に遊びのない嵌着が保証される。
【００６０】
ストッパー部材の固定部材が、横からドアリーフの打抜部内と締錠装置の貫通孔内とに差し込まれる場合、これらのストッパー部材が、ドアリーフに対して放射方向に固定されるだけではなくて、同時に締錠装置自体も固定される。したがって、この締錠装置は、プレート片の別個のボルトによってドアリーフにボルト締めされる必要がもはやない。金具の組立経費が、むしろストッパー部材つまり固定部材の横からの差し込みに関してだけ低減される。ハンドルが、力伝達部材によって軸線方向に固定されると、組み立てが終了する。かかる時間及びかかるコストが、従来の方法に比べて明らかに低減されている。
【００６１】
このため、本発明は、互いに対向して配置された操作ハンドルが、力伝達部材を介して軸線方向に動かないように、例えば従来の雌ねじによって互いに連結されているか又は連結可能であることを提唱する。
【００６２】
しかしながら、本発明のさらに別の実施の形態は、特に装置が少なくとも１つのハンドルと力伝達部材との間に設けられていることによって、ハンドルと力伝達部材とが、互いに密着締結されているか又は連結可能であることを提唱する。ハンドル内への力伝達部材の差込みが、第１方向に移動可能であり且つ反対方向に停止されているように、この装置は構成されている。
【００６３】
当該装置の構造及び機能は、ドイツ連邦共和国実用新案第２０  ２００５  ０００  ７８５号明細書又はヨーロッパ特許出願公開第１  ６８３  ９３３号明細書から公知である。この構造及び機能は、当該文献の開示内容に完全に記載されている。
【００６４】
本発明の当該構造によって、あらゆる器具及びあらゆる独立した又は追加の固定部材なしに、締錠装置及び固定部材の双方をドアリーフに対して取り付けることが可能である。締錠装置をこの締錠装置のために設けられているドアリーフ内のポケットの中に差し込んだ後に、−この締結装置を整合して−ストッパー部材が、横からドアリーフ上に取り付けられ、引き続き、ハンドルが、軸線方向に、すなわちこのストッパー部材の長軸方向に力伝達部材に差し込まれる必要がある。ハンドルが、ストッパー部材の回転軸受内に横から嵌合すると、全ての金具が、締錠装置と共に完全に且つ永続的に取り付けられている。当該ストッパー部材の固定部材は、このストッパー部材と締錠装置との双方を当該金具の長軸に対して垂直にドアリーフ内に固定する一方で、当該ハンドルを軸線方向に固定する。
【００６５】
したがって、本発明は、差込錠及びドア用金具の完全に器具なしの組み立てを可能にする。
【００６６】
その他の特徴、詳細及び本発明の利点は、特許請求の範囲及び以下の図面に基づく実施の形態の説明に記載されている。
【図面の簡単な説明】
【００６７】
【図１】本発明の２つの操作ハンドルを有する本発明のドアの概略斜視図である。
【図２】ドアリーフの概略斜視図である。
【図３】反発装置及びロック装置をそれぞれ有する本発明の２つの操作ハンドルの展開した斜視図である。
【図４】図３の操作ハンドルを組み立てた状態で示す。
【図５】図３の操作ハンドルのうちの一方の操作ハンドルの正面図をロックされていない位置で示す。
【図６】図３の操作ハンドルのうちの一方の操作ハンドルの正面図をロックされた位置で示す。
【図７】本発明の２つの操作ハンドルを有する本発明のドアの別の実施の形態を示す。
【図８】本発明の２つの操作ハンドルを有する本発明のドアのさらに別の実施の形態を示す。
【図９】操作ハンドルの別の実施の形態を示す。
【図１０】反発装置用の収容部材を有するストッパー部材を示す。
【図１１】ストッパー部材の別の実施の形態を示す。
【図１２】本発明の２つの操作ハンドルを有する本発明のドアの別の重要な構成を示す。
【発明を実施するための形態】
【００６８】
１００で全体的に示したドアの配置が、ドアリーフ２１を有するドア２０を備えている。このドアリーフ２１は、（図示しなかった）ヒンジを用いて（同じく図示しなかった）ドアフレームに沿って旋回可能に蝶番でとめられている。締錠装置３０が、ドアリーフ２１内の前面に嵌め込まれている。この締錠装置３０は、差込錠として構成されている。この差込錠は、プレート片３１と共にドアリーフ２１に対して整合されて固定される。このため、ボルト３６が設けられている。これらのボルト３６は、プレート片３１を貫通してドアリーフ２１の中にボルト締めされる。プレート片３１を貫いて突出し、長手方向に摺動可能に設置されたラッチボルト３２が、ドア２０のロック位置でドアフレーム内の（図示しなかった）受け座に嵌合する。ドア２０は、主に折戸として構成されているものの、回転ドア（Ｓｔｕｍｐｆｔｕｅｒ）でもよい。
【００６９】
操作ハンドル１０，１０′が、ドアリーフ２１の側面２２，２２′上に１つずつ取り付けられている。この場合、各操作ハンドル１０，１０′は、ドアリーフ２１上に扁平に設置されているストッパー部材４０，４０′及び旋回可能に軸支されたハンドル６０，６０′、例えば取っ手（ドアの取っ手）を有する扉金物として構成されている。両金具１０，１０′は、互いに対向し且つストッパー部材４０，４０′の長軸Ｌに対して整合して配置されている。ハンドル６０，６０′は、ドア２０を開閉するため及びドア２０内に組み込まれた締錠装置３０を操作するための双方で使用される。
【００７０】
図１の実施の形態では、ドア２０は、浴室のドア又は化粧室のドアとして構成されている。このため、金具１０，１０′のうちの少なくとも１つの金具が、ロック装置９０を有する。このロック装置９０は、別のハンドルの形態の操作部材９４によって操作可能である。しかし、特にドア２０を閉鎖することが要求されていない場合は、ドア２０は、ロック装置９０なしに簡単な内戸として構成されてもよい。この場合、ロック装置９０及び操作部材９４，９４′は要求されない。
【００７１】
図２は、図１中に示された金具１０，１０′のないドア２０を示す。ラッチボルト３２を操作する差込錠３０が、ロックナット３３を有することが分かる。このロックナット３３は、差込錠３０のハウジング３７内に回転可能に軸支されていて公知の方法でラッチボルト３２に作用連結している。２つの貫通孔３４が、差込錠３０のハウジング３７内にロックナット３３に並んで等間隔に横に且つ対称に形成されている。これらの貫通孔３４は、好ましくは簡単な孔として形成されている。貫通スリーブが、貫通孔３４内に嵌入されてもよい。これらの貫通スリーブは、例えばハウジング３７内に固定に嵌入されている。もう１つ別の貫通孔３５が、ロックナット３３の下に設けられている。この貫通孔３５も、孔又はスリーブとして形成され得る。
【００７２】
貫通孔３４，３５相互間の距離及びロックナット３３に対する貫通孔３４，３５の距離は、よく使用されている規格寸法、例えばドイツ工業規格  １８  ２５１の規格寸法に一致する。このことは、ロックナット３３の配置及び形状に対しても成立し、ハウジング３７の寸法に対しても成立する。したがって、本発明の範囲内では、締錠装置３０として既存のドイツ工業規格の錠を使用することが可能である。このことは、戦略及び総費用に対して良好に作用する。
【００７３】
図２がさらに示すように、打抜部２３，２３′が、ドアリーフ２１の目視可能な側面２２内及び目視不可能な側面２２′内の双方に１つずつ形成されている。差込錠３０内のロックナット３３及び貫通孔３４，３５が、両側面からドアリーフ２１を通り抜けて自由にアクセスできるように、ドアリーフ２１上の当該ロックナット３３及び貫通孔３４，３５の寸法及び位置が選択されている。打抜部２３，２３′は、好ましくは互いに完全に一致して及び／又は同心円状に位置している。このことには、打抜部２３，２３′が差込錠３０用のドアリーフ２１内の（図示しなかった）溝部に対して垂直に位置している簡単な貫通孔として形成され得るという利点がある。これによって、ドアリーフ２１の製造が明らかに簡単になる。
【００７４】
各操作ハンドル１０，１０′のストッパー部材４０，４０′は、−図３中に詳しく示されたように−簡単で扁平のプレート物体として形成されている。当該プレート物体は、その縁面に嵌合縁部４１，４１′を有してもよい。ハンドル６０，６０′を収容する別の円形の打抜部４３が、当該プレート物体４０，４０′の中心に形成されている。ロック装置９０の操作部材９４，９４′を収容するもう１つの打抜部４４が、打抜部４３の下に存在する。
【００７５】
ドアリーフ２１に対するストッパー部材４０，４０′の固定は、従来のようにネジ又は締付ボルトを用いて実施するのではなくて、特殊な固定部材５０，５０′によって実施される。これらの固定部材５０，５０′は、各ストッパー部材４０，４０′の平坦な背面４２，４２′上に配置されていて、ドア２０つまりドアリーフ２１の側面２２，２２′を貫通して（図３中に示さなかった）締錠装置３０のハウジング３７内の貫通孔３４に嵌合する。
【００７６】
同時に、各ストッパー部材４０，４０′は、締錠装置３０内の貫通孔３４の規格化された配置に応じて２つの固定部材５０，５０′を支持する。これらの固定部材５０，５０′は、ストッパー部材４０，４０′の長軸Ｌに対して平行に指向されている。さらに当該固定部材５０，５０′は、ハンドル６０，６０′用の打抜部４３に対して対称に且つ等間隔に位置している。その結果、打抜部４３は、金具１０，１０′の取り付けた状態ではロックナット３３の回転軸線に対して常に同軸に指向されている。
【００７７】
第１固定部材５０，５０′は、スリーブ５１，５１′として形成されている。このスリーブ５１，５１′は、好ましくはストッパー部材４０，４０′の背面４２，４２′に切り株状に溶接されている。第２固定部材５０，５０′は、ボルト又はピン５２，５２′として形成されている。このボルト又はピン５２，５２′も、ストッパー部材４０，４０′に切り株状に溶接されている。当該ボルト状又はスリーブ状の部材５１，５１′，５２，５２′は、ストッパー部材４０，４０′に接着されてもよいし又はストッパー部材４０，４０′と一体に形成されてもよい。取り外し可能な固定も考えられる。固定部材５０，５０′が外部に向かって視覚的に露出しないことが常に重要である。その結果、ストッパー部材４０，４０′に対する追加のカバー部材が不要である。
【００７８】
１つのスリーブ５１，５１′及び１つのピン５２，５２′がそれぞれ、各ストッパー部材４０，４０′に対して設けられていることが、図３中で認識される。この場合、ピン５２，５２′の外径が、スリーブ５１，５１′の内径に一致する。それ故に、ドアリーフ２１の側面２２，２２′上で互いに対向して配置された２つのストッパー部材４０，４０′が、締錠装置３０の内部で相補的に形成された固定部材５０，５０′によって入れ子式に指し込まれ得る。この場合、第１ストッパー部材４０のスリーブ５１が、第２ストッパー部材４０′の対向しているピン５２′を収容する一方で、第２ストッパー部材４０′のスリーブ５１′が、第１ストッパー部材４０のピン５２を収容する。ドアリーフの厚さが異なる場合でも、ピン５２，５２′が、スリーブ５１，５１′内部の常に確実な送り及び側面の保持を確保するように、固定部材５０，５０′の長さが選択されている（例えば、図９参照）。
【００７９】
このため、ストッパー部材４０，４０′は同一に形成されている。すなわち、これらのストッパー部材４０，４０′は右側でも左側でも使用され得る。それ故に、金具１０の組み立てが極めて簡単である。組み立ての間違いがない。内径と外径とが適合されているために、摩擦締結が、固定部材５０，５０′の入れ子式の差し込み時に発生する。このことは、当該連結の安定性に良好に作用する。
【００８０】
ストッパー部材のピン５２，５２′が、スリーブ５１，５１′内に一体締結的に及び／又は摩擦締結的に嵌合する一方で、これらのスリーブ５１，５１′は、組み立てた状態では締錠装置３０のハウジング３７内の貫通孔３４によって一体的に及び／又は摩擦締結的に収容される。この場合、固定部材５０，５０′が、締錠装置３０内で常に遊びなしに且つぐらつきなしに固定されているように、平行に互いに並んでいるスリーブ５１，５１′の外径が選択されている。これによって、確実で且つ遊びのない持続する一体締結が、ストッパー部材４０，４０′の長軸Ｌに対して垂直に発生する。すなわち、ストッパー部材４０，４０′が、ドアリーフ２１内に固定された差込錠３０によって長軸Ｌに対して半径方向に同様に固定されている。各カバー部材４０，４０′が、２つの固定部材５０，５０′を有することによって、捩れの防止が同時に保証されている。経費をかけてドアリーフ２１内に嵌合されなければならない追加のカム又はその他の固定部材が必要でない。
【００８１】
特に規格化されなかった様々な差込錠もの使用が考慮される場合、固定部材５０，５０′の寸法が変更可能であることが有益である。さらに図３の実施の形態では、追加のブッシュ５４がスリーブ５１，５１′に取り付け可能であることが提唱されている。当該ブッシュ５４の直径が、使用されたそれぞれの差込錠３０内の貫通孔３４の内径に一致する。その結果、カバー部材４０，４０′が、これらのカバー部材４０，４０′の長軸Ｌに対して垂直方向に常に遊びなしに且つぐらつきなしにドア２０の側面２２，２２′上に固定されている。ブッシュ５４が、−ユニットシステムのように−金具１０，１０′内に様々な直径で付設され得る。その結果、現場の組立工又は職人は、当該組立工又は職人がその組み立てに対してどの部材をちょうど必要とするかを判断することができる。
【００８２】
各ハンドル６０，６０′が、段状のグリップネック６１，６１′によってストッパー部材４０，４０′の中心打抜部４３，４３′内に回転可能に嵌着する。この場合、軸受部材７０が、グリップネック６１，６１′とストッパー部材４０，４０′との間に設けられている。これによって、ストッパー板４０，４０′内のハンドル６０，６０′の良好な操作が達成される。同時に、摩擦及び磨耗が低減する。
【００８３】
軸受部材７０は、−図３中に示されたように−合成樹脂リングの形態の簡単な摺動部材７１として形成され得る。しかし、玉軸受配置７２も、軸受部材７０として使用され得る。この玉軸受配置７２は、−図９に示したように−グリップネック６１，６１′とストッパー部材４０，４０′との間に配置されているベアリング本体７３によって構成される。この場合、ベアリング本体７３、−例えばボール又はシリンダー本体−は、回転面７４，７５に沿って回転する。この場合、第１回転面７４は、打抜部４３，４３′の、傾斜して形成された縁領域によって形成される一方で、第２回転面７５は、グリップネック６１，６１′の領域内に設けられている。この第２回転面７５は、好ましくは独立した（リング）部材７６によって形成されている。同時にこの（リング）部材７６は、ベアリング本体７３用の（回転）籠を構成する。このため、玉軸受配置７２は、独立した構成部材として前もって製造され、必要な場合に金具１０，１０′内に差し込まれ得る。図９中では、金具１０，１０′の全高が、玉軸受配置７２によってほとんど変化しないことが分かる。ストッパー部材４０，４０′の全体的に平坦で且つ洗練された外観が、明らかに改良されたハンドルの軸支にもかかわらず損なわれない。
【００８４】
ドア２０内に組み込まれた締錠装置３０を操作するため、両ハンドル６０，６０′が、力伝達部材６６を介して作用連結している。この場合、この力伝達部材６６は、好ましくは四角ピンである。この四角ピンの前面が、ハンドル６０，６０′のグリップネック６１，６１′内に差し込まれていて、金具１０，１０′を組み立てた状態では締錠装置３０のロックナット３３を貫通する。このため、このロックナット３３は、同一形状の四角打抜部３８を有する。ハンドル６０，６０′は、対応する差込孔６２，６２′を有する。これらの差込孔６２，６２′は、四角ピン６６を一体締結的に、したがって回転しないように収容する。
【００８５】
ハンドル６０，６０′が、ストッパー部材４０，４０′内の当該ハンドルの終了位置に達し、そのハンドルのグリップネック６０，６０′が、軸受部材７０内に嵌着すると、ハンドル６０，６０′が、例えば雌ねじによって四角ピン６６に軸線に沿って固定連結される。しかし、四角ピン６６は、工場でハンドル６０に既に前もって取り付けられてもよい（すなわち、いわゆるピン部品）。この場合、四角ピン６６は、対向しているハンドル６０′の中だけに手作業で固定されなければならない。
【００８６】
ハンドル６０，６０′を四角ピン６６に固定すると、金具１０，１０′が完全に組み立てられている。この場合、器具が、ストッパー部材４０，４０′の当該固定に対して不要である。器具は、ドアリーフ２１の中に前もって取り付けられた差込錠３０内に専ら側面から差し込まれる。これをもって、組み立てが完全に終了する。固定部材５０，５０′は、ストッパー部材４０，４０′をドア面内で放射方向に対して固定する一方で、ハンドル６０，６０′は、軸線方向に対する固定を保証する。
【００８７】
本発明の特に好適な実施の形態は、（詳しく図示しなかった）装置が、少なくとも１つのハンドル６０，６０′と四角ピン６６との間に設けられていることを提唱する。四角ピン６６をハンドル６０，６０′内に差し込むことが、１つの第１方向に誘起可能であり且つ反対に設定された方向には阻止されているように、この装置は構成されている。このような装置は、ドイツ連邦共和国実用新案第２０  ２００５  ０００  ７８５号明細書又はヨーロッパ特許出願公開第１  ６８３  ９３３号明細書から公知である。この装置は、当該文献の開示内容に完全に記載されている。
【００８８】
これによって、ハンドル６０，６０′も器具なしに取り付けることが可能である。四角ピン６６は、−言及したように−専らハンドル６０，６０′のグリップネック６１，６１′内に差し込まれる。装置が閉鎖装置として作用し、力伝達部材６６が、当該グリップネック内に固定されるので、その後に反対に設定された方向に引き出すことはもはや不可能である。この場合、四角ピン６６が、ハンドル６０，６０′内にどの程度深く差し込まれるかは重要でない。当該閉鎖装置が、この四角ピン６６を受けると、この四角ピン６６は−特に軸線方向に−固定され、ハンドル６０、６０′から再び引き出され得ない。ドアの様々な厚さが、−入れ子式に差し込まれた固定部材５０，５０′の場合でも−自動的に考慮される。すなわち、ハンドル６０，６０′が、停止するまで嵌め込まれ、引き続き固定部材５０，５０′のストッパー板４０，４０′にぐらつきなしに当接する。操作ハンドル１０，１０′が高い負荷も持続して耐えるように、当該閉鎖装置が、四角ピン６６をハンドル６０，６０′内に固定する。誤った緩み又はぐらつきはもはや起こりえない。四角ピン６６は、固定時に大きく損傷されず変形もしない。その結果、分解後の再使用が保証される。ここでも、四角ピン６６を当該ハンドルのうちの一方のハンドル６０に前もって取り付けることが可能である。その結果、対向しているハンドル６０′が、閉鎖装置によって固定されるだけで済む。
【００８９】
これによって、器具が、本発明の金具１０，１０′の組み立てに対してもはや全く必要ない。ストッパー板４０，４０′の固定に対しても、ハンドル６０，６０′の軸線方向の固定に対しても不要である。これらのハンドル６０，６０′が、その終了位置に達すると、金具１０，１０′が完全に組み立てられている。このため、かかる時間が最小に低減する。孔あけジグ用いてコストのかかる孔をドアリーフ２１内に形成する必要もなく、ボルト又はその他の固定手段を用意する必要もない。金具１０，１０′が、ドア２０内に多くの場合に前もって取り付けられた差込錠３０に対して直接固定される。
【００９０】
ハンドル６０，６０′が、各操作後にほぼ水平なその最初の位置に常に確実に戻るように、いわゆる戻しばね又は反発ばねを金具１０，１０′に備え付けることが好ましい。このため、ハンドル６０，６０′が、反発力に逆らって操作可能であることが提唱されている。この場合、この反発力は、反発装置８０によって生成される。
【００９１】
反発装置８０は、図３の実施の形態では戻しばねパケットとして構成されている。この戻しばねパケットは、前もって取り付けたユニットとしてストッパー部材４０，４０′に回転しないように結合されていて且つ四角ピン６６を介してハンドル６０に連結している。戻しばねパケット８０の構造及び機能は、ドイツ連邦共和国実用新案第２０  ２００５  ００４  ３８１号明細書中に記されている。この戻しばねパケット８０は、当該文献の開示内容に完全に記載されている。この戻しばねパケット８０は、主に二重シェルのハウジング８１から構成される。放射状に突出している２つの垂れを有する捻心８２が、当該ハウジング８１内に旋回可能に軸支されている。この捻心８２は、その中心に四角ピン６６を収容する四角孔８３を有し、この四角ピン６６の軸線周りのこの四角ピン６６の回転時にばねの応力下で角度を制限するようにこの四角ピン６６に連動可能である。
【００９２】
反発装置をストッパー部材４０，４０′に対して固定するため、戻しばねパケット８０が、収容部材８４，８４′内に差し込まれる。このため、この収容部材８４，８４′は、同一形状の打抜部８５，８５′を有する。この打抜部８５，８５′の高さは、二重シェルのハウジング８１の全高にほぼ一致する。すなわち、戻しばねパケット８０は、収容部材８４，８４′に一体的に嵌着する。この収容部材８４，８４′は、ストッパー部材４０，４０′の好ましくは平坦な背面４２，４２′上に当接し且つこのストッパー部材４０，４０′に回転しないように連結されている。横孔８７，８７′が、収容要素８４，８４′内に形成されている。これらの横孔８７，８７′は、固定部材５０，５０′を一体締結的に及び／又は摩擦締結的に収容する。したがって必要な場合に、収容部材８４，８４′は、ストッパー部材４０，４０′の専ら背面上に取り付けられ、戻しばねパケット８０が、この収容部材８４，８４′内に差し込まれる。固定部材又はその他の手段がさらに必要でない。収容部材８４，８４′内の中心打抜部８８，８８′が、四角ピン６６を通すために使用される。
【００９３】
収容部材８４，８４′が、外部に目視不可能であるように、ストッパー部材４０，４０′の長軸Ｌに対して垂直のこのストッパー部材４０，４０′の外のりは、この収容部材８４，８４′の外のりより常に大きい。特に、この収容部材８４，８４′の外のりは、ストッパー部材４０，４０′の外のりより小さい。同時に、収容部材８４，８４′の外径は、ドアリーフ２１内の打抜部２３，２３′の内径より小さい。その結果、各収容部材８４，８４′は、ストッパー部材４０，４０′の取り付け時にそれぞれ付設された打抜部２３，２３′内に埋没する。
【００９４】
ドア２０を必要な場合に閉鎖できるようにするため、ロック装置９０が設けられている。ストッパー部材４０，４０′に対するハンドル６０，６０′の回転運動又は旋回運動が、このロック装置９０によってロック可能であるか又は阻止可能である。その結果、締錠装置３０のラッチボルト３２が、引き込められず、したがってドア２０が開かれ得ない。
【００９５】
このため、ロック装置９０は、旋回可能に軸支された停止部材９１を有する。この停止部材９１は、回転可能に軸支された軸９２に回転しないように配置されている。この軸９２は、好ましくは四角ピンとして形成されている。この四角ピンは、ドアリーフ２１の両側面の端部側で各操作部材９４，９４′に固定に接合可能である、例えばドア２０の一方の側面で浴室のノブ又はレバー９４′に固定に接合可能であり且つドア２０の他方の側面でスリットヘッド９４に固定に接合可能である。各操作部材９４，９４′が、段状つば９５，９５′によってドア２０の両側面に対して配置されたストッパー部材４０，４０′内の打抜部４４，４４′のうちの１つの打抜部に嵌着する。この場合、軸受部材９６、例えば合成樹脂リングが、各操作部材９４，９４′と各ストッパー部材４０，４０′との間に配置されている。この合成樹脂リングは、操作部材９４，９４′の良好な操作を保証し、この合成樹脂リングの摺動特性に起因して摩擦を低減する。
【００９６】
停止部材９１は、好ましくは旋回アーム又は旋回レバーとして形成されている。この旋回アーム又は旋回レバーは、その端部側に四角打抜部９３を有する。この四角打抜部９３は、四角軸９２を一体締結的に収容する。
【００９７】
四角軸９２は、ストッパー部材４０，４０′、収容部材８４，８４′、ドア２０の側面２２，２２′及び締錠装置３０を貫通する。この場合、四角軸９２が、差込錠３０内の別の貫通孔３５を回転可能に貫通するように、この四角軸９２は、差込錠３０内のロックナット３３の軸線に対して間隔をあけて配置されている。したがって差込錠３０は、追加の又は隔離された孔を有する必要がない。むしろ、市販のドイツ工業規格の錠がさらに使用され得る。収容部材８４，８４′は、四角軸９２を回転可能に貫通させるため、対応する孔８９，８９′を有する。
【００９８】
停止部材９１を収容するため、別の打抜部８６′が、戻しばねパケット８０用の打抜部８５′に対して対向して少なくとも１つの収容要素８４′内に形成されている。この打抜部８５′は、孔８９′の領域内で２つの側面縁部６４′によってほぼＶ字形に形成されている。これらの側面縁部６４′は、停止部材９１の旋回運動を制限し、したがってストッパー面として使用される。図５及び６中で分かるように、四角軸９２用の四角打抜部９３が、収容部材８４′内の孔８９′に対して同軸に位置しているように、この停止部材９１は、収容部材８４′の別の打抜部８６′内に配置されている。このことは、四角軸９２がストッパー板４０，４０′及びハンドル６０，６０′の取り付け後に同様に取り付けられ得るようにするために重要である。
【００９９】
ストッパー板９７が、収容部材８４′の打抜部８６′内に停止部材９１と並んで回転可能に配置されている。このストッパー板９７は、その縁側に円周打抜部９９を有する。さらにこのストッパー板９７は、ロックナット３３の回転軸線に対して同心状に且つハンドル６０，６０′の回転軸線に対して同心状に嵌着する。その結果、四角ピン６６が、ストッパー板９７を同心状に貫通できる。中心に配置された四角打抜部９８が、ストッパー板９７を四角ピン６６に回転しないように嵌着させる。この場合、円周打抜部９９が、停止部材９１の自由端部の上に存在するように、このストッパー板９７は、組み立てた状態で調整されている。
【０１００】
長軸Ｌに対して垂直方向にミラー対称に構成されたロック装置９０の機能が、図５及び６から分かる。
【０１０１】
図５では、停止部材９１が、停止部材９１が、操作部材９４′によって左へ旋回している。この場合、停止部材９１は、打抜部８６′の左側の側面縁部６４′に当接する。人が、ドアを開くためにハンドル６０′を下へ旋回させると、ストッパー板９７が、右へ開く円周打抜部９９に起因して妨害されないで移動できる。ラッチボルト３２が引っ込められる。
【０１０２】
ドア２０をロックするため、停止部材９１が、打抜部８６′の右側の側面縁部６４′に当接するまで、この停止部材９１は、操作部材９４′によって右へ旋回される。すると、停止部材９１の自由端部と円周打抜部９９の側面の限定部分とが直に対向する。人が、ハンドル６０′を旋回させようとすると、ストッパー板９７が、停止部材９１に当接する。ハンドル６０′を移動させることはできない。ドア２０はロックされている。このことは、図６に示されている。
【０１０３】
当該ロック装置９０の取り付けも簡単に考えられる。ストッパー板４０，４０′を取り付け、ハンドル６０，６０′差し込んで固定した後に、側面に前もって取り付けられた操作部材９４、例えばスリットヘッドが、ストッパー部材４０の軸受リング９６に当接するまで、四角軸９２が、打抜部４４，４４′、収容部材８４，８４′内の孔８９，８９′、差込錠３０内の貫通孔３５及び停止部材９１を貫通して差し込まれる。引き続き、対向している操作部材９４′が、四角軸９２の端部に当接され、この四角軸９２に連結される。この場合、四角軸９２に対する操作部材９４，９４′の当該固定は、四角ピン６６へのハンドル６０，６０′の固定と同様な方法で実施される。
【０１０４】
図３〜６の実施の形態のロック装置９０は、分離されて且つ少なくともその一部が、収容部材８４，８４′内で構成されている一方で、図７の実施の形態は、締錠装置３０としていわゆるラッチボルト錠を使用する。このラッチボルト錠の場合、ロック装置９０の一部が、締錠装置３０のハウジング３７内に既に組み込まれている。例えば（詳しく図示しなかった）四角打抜部を有する別のロックナットが、ロック装置９０に属する。この四角打抜部は、ロック装置９０の四角軸９２を収容する。これによって、人が、ストッパー部材４０，４０′内に回転可能に軸支された操作部材９４，９４′を操作することによってドア２０を施錠又は開錠できる。
【０１０５】
ドアリーフ２１を貫通して別のロックナット３５′にアクセスできるように、追加の打抜部２４，２４′が、打抜部２３，２３′の下でドアリーフ２１内に形成されている。ロックナット３３と別のロックナット３５′との間の半径方向の距離が、ロックナット３３と別の貫通孔３５との間の距離より大きいので、ストッパー部材４０，４０′は、円形はでなくて、ドアリーフ２１内の打抜部２３，２３′及び２４，２４′が常に覆われているように縦長に形成されている。
【０１０６】
図８の実施の形態は、反発装置８０及びロック装置９０が省略されている。その結果、収容部材８４，８４′及び別の操作部材９４，９４′が設けられていない。
【０１０７】
反発装置８０及び／又はロック装置９０用の収容部材８４，８４′は、絶対に円形に又は板状に形成される必要はない。収容部材８４，８４′の外側の輪郭は、−図１０に示したように−非円形に、例えば星形に又は多角形に、特に三角形に構成されてもよい。この場合、収容部材８４，８４′が一体締結的に合致するように、すなわち収容部材８４，８４′の外側の輪郭が、ストッパー部材４０，４０′の長軸Ｌに対して垂直方向に（ここでは図示しなかった）打抜部２３，２３′の内側の輪郭に一致するように、ドアリーフ２１の側面２２，２２′内の当該打抜部２３，２３′は形成されている。このことには、さらなるねじり応力又は別のねじり応力から保護されるという利点がある。同時に、当該収容部材８４，８４′を特別に有する金具１０，１０′だけが、こうして構成されたドア２０に対して取り付けられ得る。このことは、見本となる防止手段として利点になり得る。
【０１０８】
図１１は、固定部材５０，５０′の特別な実施に形態を示す。これらの固定部材５０，５０′は、独立したスリーブ又はボルトとしてもはや形成されていない。各固定部材５０，５０′は、それどころか同一の２つの部品５１″，５２″から構成される。これらの部品５１″，５２″は、共同して１つのボルト状の部材及び１つのスリーブ状の部材を形成する。この場合、ドア２０の第１側面２２上に設置されている第１ストッパー部材４０の部品５１′及びドア２０の第２側面２２′上に設置されている第２ストッパー部材４０′の対応する部品５２″が共同して、操作ハンドル１０，１０′を組み立てた状態でボルト状の部材又はスリーブ状の部材に完成される。この場合、この部品は、締錠装置３０のそれぞれ付設された貫通孔３４内に一体締結的に及び／又は摩擦締結的に嵌合する。
【０１０９】
本発明のさらに別の実施の形態の場合（図１２参照）、ドアリーフ２１が、その前面に差込錠３０を収容するポケット２７を有する。さらに、プレート片３１が、ドア２０の前面によって閉鎖するように、このプレート片３１用の段差２８が、このポケットの上下にフライス盤加工されている。差込錠３０は、ロックナット３３を有し且つ（図示しなかった）錠シリンダー用の貫通孔３５″をこのロックナット３３の上に配置されて有する。複数の貫通孔３４が、ロックナット３３の横隣と貫通孔３５″の横隣とに形成されている。これらの貫通孔３４の内径は、スリーブ５１の外径に一致する。
【０１１０】
第一に、打抜部２３，２３′が、ドアリーフ２１内に形成されている。これらの打抜部２３，２３′は、差込錠３０のロックナット３３だけが外からアクセスできるような大きさだけに選択されている。別の打抜部２５，２５′が、打抜部２３，２３′の上で側面２２，２２′内に形成されている。これらの打抜部２５，２５′は、差込錠３０内の貫通孔３５″に対するアクセスを可能にする。孔２４，２４′が、打抜部２３，２３′及び２５，２５′の横隣に形成されている。これらの孔２４，２４′は、スリーブ５１の外径に一致する内径を有する。
【０１１１】
したがって、ドア２０の側面２２，２２′内の別の打抜部２４，２４′と締錠装置３０内の貫通孔３４とは、同じな内径を有する。さらに、当該打抜部２４，２４′と当該貫通孔３４とは、ロックナット３３及び打抜部２３，２３′に対して対称に位置していて且つ互いに同じ距離を有する。
【０１１２】
ドア２０の側面２２，２２′内の別の打抜部２４，２４′と差込錠内の貫通孔３４とが完全に一致して重なり合って位置し、次いでストッパー部材４０，４０′の固定部材５０，５０′が、金具１０，１０′の組み立て時に当該別の打抜部２４，２４′及び当該貫通孔３４内に一体締結的に及び／又は摩擦締結的に嵌合するように、差込錠３０が、ポケット２７内に差し込まれる。
【０１１３】
したがって、固定部材５０，５０′は、ドアのストッパー部材４０，４０′だけを固定するのではなくて、さらに差込錠３０も固定する。この場合、プレート片３１が、段差２８に正確に当接するように、ドアリーフ２１内の打抜部２４，２４′と差込錠３０内の貫通孔３４とが重なり合って合わせられる。しかしながら、プレート片３１をドアリーフ２１内に固定するためのボルトはもはや必要でない。金具１０，１０′及び差込錠３０の双方が、あらゆる器具なしに組み立てられ得る。
【０１１４】
本発明は、上述した実施の形態のうちの１つの実施の形態に限定されるのではなくて、多様に変更可能である。
【０１１５】
すなわち、ストッパー部材４０，４０′の少なくとも縁側が、段状に形成され、側面２２，２２′上の第１打抜部２３，２３′の縁領域に沿って当接され得る。これによって、別の面白い構造の可能性が得られる。例えば、ストッパー部材４０，４０′を同心状に比較的丈夫に形成するものの、縁側で比較的薄く形成することができる。その結果、ストッパー部材４０，４０′は、もはやドア２０の側面２２，２２′からほとんど目視不可能に目立たない。
【０１１６】
別の実施の形態は、ストッパー部材４０，４０′がドアの打抜部２３，２３′内に形状を同じに嵌合されている、すなわちストッパー部材４０，４０′の外側の輪郭が長軸Ｌに対して垂直方向に打抜部２３，２３′の内側の輪郭に一致することを提唱する。確かにこのことは、ストッパー部材４０，４０′の外径と打抜部２３，２３′の内径とがほぼ正確に一致することを前提にする。しかしながら、ドア２０は、全体的に一様で且つ滑らかな表面を維持する。このことは、特に洗練された美観を可能にする。
【０１１７】
ストッパー部材４０，４０′の固定部材５０，５０′は、円形又は多角形の横断面を有してもよい。これによっても、ねじり応力からの保護を実現することができる。その結果、例えば、１つのストッパー部材４０，４０′当たり１つの固定部材５０，５０′しか設けられていない。
【０１１８】
ドア２０の使用目的に応じて、例えば、ドア２０がストッパー部材４０，４０′の側から開かれてはならない時に、ハンドル６０，６０′のうちの一方のハンドルが、ストッパー部材４０，４０′に軸線方向に動かないように及び／又は回転しないように連結され得る。
【０１１９】
収容要素８４，８４′は、必要な場合にストッパー部材４０，４０′と一体にされてもよい。
【０１２０】
特許請求の範囲、説明及び図面に記されている全ての特徴及び利点は、構造上の詳細、三次元配置及び方法ステップを含めてそれ自体に対してもいろいろな組み合わせにおいても本発明で重要になり得る。
【符号の説明】
【０１２１】
Ｌ              長軸
１０，１０′    操作ハンドル、金具
２０            ドア
２１            ドアリーフ
２２，２２′    側面
２３，２３′    打抜部
２４，２４′    追加の打抜部
２５，２５′    別の打抜部
２６            縁領域
２７            ポケット
２８            段差
３０            設鍵装置、差込錠
３１            プレート片
３２            ラッチボルト
３３            ロックナット
３４            貫通孔
３５            別の貫通孔
３５′          別のロックナット
３５″          貫通孔
３６            ボルト
３７            ハウジング
３８            四角凹部
４０，４０′    ストッパー部材、プレート物体、カバー部材、ストッパー板
４１，４１′    嵌合縁部
４２，４２′    背面
４３，４３′    打抜部
４４，４４′    打抜部
５０，５０′    固定部材
５１，５１′    スリーブ
５２，５２′    ピン
５１″，５２″  部品
５４            ブッシュ
５５″          要素
６０，６０′    ハンドル
６１，６１′    グリップネック
６２，６２′    差込孔
６４′          側面縁部
６６            力伝達部材、四角ピン
７０            軸受部材
７１            リング部材、摺動部材
７２            玉軸受配置
７３            ベアリング本体
７４            第１回転面
７５            第２回転面
７６            保持器、リング部材
８０            反発装置、戻しばねパケット
８１            ハウジング
８２            嵌合部、捻心
８３            四角孔
８４，８４′    収容部材
８５，８５′    打抜部
８６′          別の打抜部
８７，８７′    横孔
８８，８８′    中心打抜部
８９，８９′    孔
９０            ロック装置
９１            停止部材
９２            （四角）軸
９３            四角打抜部
９４，９４′    操作部材、別のハンドル、スリットヘッド、レバー
９５，９５′    段状つば
９６            軸受部材、軸受リング
９７，９７′    ストッパー板
９８            四角打抜部
９９            円周打抜部
１００          ドアの配置
【図１】
2010531938.tif 000003
【図２】
2010531938.tif 000004
【図３】
2010531938.tif 000005
【図４】
2010531938.tif 000006
【図５】
2010531938.tif 000007
【図６】
2010531938.tif 000008
【図７】
2010531938.tif 000009
【図８】
2010531938.tif 000010
【図９】
2010531938.tif 000011
【図１０】
2010531938.tif 000012
【図１１】
2010531938.tif 000013
【図１２】
2010531938.tif 000014
【国際調査報告】
2010531938.tif 000015
2010531938.tif 000016
2010531938.tif 000017
2010531938.tif 000018
2010531938.tif 000019
2010531938.tif 000020